(57)【要約】      （修正有）【課題】物々交換システムにおいて、物々交換成立後に行われる交換対象物の交換をより確実に行う。【解決手段】物々交換支援システムは、管理サーバ１０と会員端末３０Ａ、３０Ｂと倉庫端末４０Ａ、４０Ｂとを備える。管理サーバ１０は、交換希望通知を会員端末３０Ａから受信すると、当該交換希望通知を会員端末３０Ｂに送信する。管理サーバ１０は、交換希望通知の受諾通知を会員端末３０Ｂから受信すると、倉庫端末４０Ａ、４０Ｂの住所をそれぞれ会員端末３０Ａ、３０Ｂに送信する。管理サーバ１０は、第１譲渡希望物品の第１受領通知を倉庫端末４０Ａから受信し、且つ、第２譲渡希望物品の第２受領通知を倉庫端末４０Ｂから受信すると、当該第１譲渡希望物品の第１発送指示を倉庫端末４０Ａに送信するとともに、第２譲渡希望物品の第２発送指示を倉庫端末４０Ｂに送信する。【選択図】図３
2016095838.tif 000002
【特許請求の範囲】
【請求項１】
物々交換システムであって、
複数の会員の間で行われる物々交換を支援する物々交換サイトを管理する管理サーバと、
インターネットを介して前記管理サーバとの間で通信可能に構成され、第１譲渡希望物品を登録している第１会員によって操作される第１会員端末と、
前記インターネットを介して前記管理サーバとの間で通信可能に構成され、第２譲渡希望物品を登録している第２会員によって操作される第２会員端末と、
前記インターネットを介して前記管理サーバとの間で通信可能に構成され、第１倉庫に配置される第１倉庫端末と、
前記インターネットを介して前記管理サーバとの間で通信可能に構成され、第２倉庫に配置される第２倉庫端末と、
を備え、
前記管理サーバは、
前記インターネットを介して外部と通信を行う通信部と、
前記第１会員及び前記第２会員を含む前記複数の会員に関する会員情報と、前記第１倉庫及び前記第２倉庫を含む複数の倉庫に関する倉庫情報とを記憶する記憶部と、
制御部と、
を有し、
前記制御部は、
交換対象商品が発送されなかった場合に各会員が事前に預け入れている保証金を受け取ることが可能な保証金制度を利用して前記第１譲渡希望物品を前記第２譲渡希望物品と交換したい旨の交換希望通知を前記第１会員端末から受信した場合には、前記交換希望通知を前記第２会員端末に送信し、
前記交換希望通知を受諾する旨の受諾通知を前記第２会員端末から受信した場合には、    前記第１保証金の金額及び振込先を前記第１会員端末に送信する一方、前記第２保証金の金額及び振込先を前記第２会員端末に送信し、
前記第１保証金と前記第２保証金との双方の入金が確認された場合には、
前記第１倉庫の第１送付先と前記第１譲渡物品を前記第１倉庫に送付する第１送付期限とを前記第１会員端末に送信する一方、前記第２倉庫の第２送付先と前記第２譲渡物品を前記第２倉庫に送付する第２送付期限とを前記第２会員端末に送信し、
前記第１譲渡希望物品が送付される予定である旨の第１送付予定通知を前記第１倉庫端末に送信する一方、前記第２譲渡希望物品が送付される予定である旨の第２送付予定通知を前記第２倉庫端末に送信し、
前記第１送付期限までに前記第１会員から前記第１譲渡希望物品を受領した旨の第１受領通知を前記第１倉庫端末から受信し、且つ、前記第２送付期限までに前記第２会員から前記第２譲渡希望物品を受領した旨の第２受領通知を前記第２倉庫端末から受信した場合には、前記第１譲渡希望物品を前記第２会員に発送すべき旨の第１発送指示を前記第１倉庫端末に送信するとともに、前記第２譲渡希望物品を前記第１会員に発送すべき旨の第２発送指示を前記第２倉庫端末に送信し、
前記第１送付期限までに前記第１受領通知を受信したが、前記第２送付期限までに前記第２受領通知を受信しなかった場合には、前記第２保証金を前記第１会員に送金する第１送金処理を実行すると共に、前記第１譲渡希望物品を前記第１会員に返送すべき旨の第１返送通知を前記第１倉庫端末に送信し、
前記第１送付期限までに前記第１受領通知を受信しなかったが、前記第２送付期限までに前記第２受領通知を受信した場合には、前記第１保証金を前記第２会員に送金する第２送金処理を実行すると共に、前記第２譲渡希望物品を前記第２会員に返送すべき旨の第２返送通知を前記第１倉庫端末に送信し、
前記第１送付期限までに前記第１受領通知を受信せず、且つ、前記第２送付期限までに前記第２受領通知を受信しなかった場合には、前記第１送金処理及び前記第２送金処理を実行すると共に、前記第１返送通知を前記第１倉庫端末に送信し且つ前記第２返送通知を前記第２倉庫端末に送信することを特徴とする物々交換システム。
【請求項２】
前記交換希望通知には、前記交換対象商品の動作確認を行った上で発送を行う動作確認制度を利用する旨も規定されており、
前記制御部は、
前記交換希望通知を受諾する旨の受諾通知を前記第２会員端末から受信した場合には、前記第１譲渡物品の動作確認を行うべき旨の第１動作確認通知を前記第１倉庫端末に送信する一方、前記第２譲渡物品の動作確認を行うべき旨の第２動作確認通知を前記第２倉庫端末に送信し、
前記第１送付期限までに前記第１会員から前記第１譲渡希望物品を受領し且つ前記第１譲渡希望物品の動作に問題がなかった旨の第３受領通知を前記第１倉庫端末から受信し、且つ、前記第２送付期限までに前記第２会員から前記第２譲渡希望物品を受領し且つ前記第２譲渡物品の動作に問題がなかった旨の第４受領通知を前記第２倉庫端末から受信した場合には、前記第１発送指示を前記第１倉庫端末に送信する一方、前記第２発送指示を前記第２倉庫端末に送信し、
前記第１送付期限までに前記第３受領通知を受信したが、前記第２送付期限までに第４受領通知を受信しなかった場合には、前記第１送金処理を実行すると共に、前記第１返送通知を前記第１倉庫端末に送信し、
前記第１送付期限までに第３受領通知を受信しなかったが、前記第２送付期限までに前記第４受領通知を受信した場合には、前記第２送金処理を実行すると共に、前記第２返送通知を前記第１倉庫端末に送信し、
前記第１送付期限までに前記第３受領通知を受信せず、且つ、前記第２送付期限までに第４受領通知を受信しなかった場合には、前記第１送金処理と第２送金処理との双方を実行すると共に、前記第１返送通知を前記第１倉庫端末に送信すると共に前記第２返送通知を前記第２倉庫端末に送信することを特徴とする請求項１に記載の物々交換システム。
【請求項３】
前記会員情報は、前記第１会員の住所と前記第２会員の住所とを含み、
前記倉庫情報は、前記複数の倉庫の住所を含み、
前記制御部は、
前記第１会員の住所と前記複数の倉庫の住所とに基づいて、前記複数の倉庫の中から前記第１会員の住所に最も近くにある倉庫を前記第１倉庫として特定し、
前記第２会員の住所と前記複数の倉庫の住所とに基づいて、前記複数の倉庫の中から前記第２会員の住所に最も近くにある倉庫を前記第２倉庫として特定することを特徴とする請求項１又は２に記載の物々交換システム。
【請求項４】
前記制御部は、前記第１交換依頼を受諾する旨の受諾通知を前記第２会員端末から受信した場合には、前記第１保証金の入金期限を前記第１会員端末に更に送信し、且つ、前記第２保証金の入金期限を更に前記第２会員端末に送信し、
前記第１保証金と前記第２保証金との何れか一方が前記入金期限までに入金されなかった場合には、物々交換取引が成立しなかった旨の通知を前記第１端末及び前記第２端末に送信することを特徴とする請求項１から３のうち何れかに記載の物々交換システム。
【発明の詳細な説明】
【技術分野】
【０００１】
本発明は、物々交換システムに関し、より詳しくは、複数の会員の間で行われる物々交換を支援する物々交換サイトを提供する物々交換システムに関する。
【背景技術】
【０００２】
従来、インターネットを利用して多数の提供物品を希望物品に交換することが可能な物々交換システムが提案されている（例えば、特許文献１）。
【０００３】
具体的には、特許文献１では、各物品提供者が提供物品と希望物品とをサーバに事前に登録する。そして、サーバは、物品提供者（Ｘ１）の希望物品（Ｇ）を提供している物品提供者（Ｘ７）を特定する。次に、サーバは、物品提供者（Ｘ７）の希望物品（Ｂ）を提供している物品提供者（Ｘ２）を特定する。さらに、サーバは、物品提供者（Ｘ２）の希望物品（Ａ）の物品提供者（Ｘ１）を見出す。これにより、物品提供者（Ｘ１）と物品提供者（Ｘ７）と物品提供者（Ｘ２）との相互リンクが成立し、各物品提供者は物々交換を円滑に行える。
【先行技術文献】
【特許文献】
【０００４】
【特許文献１】特開２００２−２６９３８５号公報
【発明の概要】
【発明が解決しようとする課題】
【０００５】
上記特許文献１に記載の技術を用いれば、確かに、会員制の物々交換サイトにおいて、各会員の譲渡希望物品及び取得希望物品を考慮した上で、会員同士を結びつけることが能である。
【０００６】
しかし、物々交換が成立したとしても、物々交換成立後に行われる交換対象物の交換を会員同士に任せた場合、交換対象物が届かない等の問題が生じる可能性が有る。
【０００７】
そこで本発明は、物々交換システムにおいて、物々交換成立後に行われる交換対象物の交換をより確実に行うことが可能な技術を提供することを目的とする。
【課題を解決するための手段】
【０００８】
上記目的を達成するために、本発明は、物々交換システムであって、複数の会員の間で行われる物々交換を支援する物々交換サイトを管理する管理サーバと、インターネットを介して前記管理サーバとの間で通信可能に構成され、第１譲渡希望物品を登録している第１会員によって操作される第１会員端末と、前記インターネットを介して前記管理サーバとの間で通信可能に構成され、第２譲渡希望物品を登録している第２会員によって操作される第２会員端末と、前記インターネットを介して前記管理サーバとの間で通信可能に構成され、第１倉庫に配置される第１倉庫端末と、前記インターネットを介して前記管理サーバとの間で通信可能に構成され、第２倉庫に配置される第２倉庫端末とを備え、前記管理サーバは、前記インターネットを介して外部と通信を行う通信部と、前記第１会員及び前記第２会員を含む前記複数の会員に関する会員情報と、前記第１倉庫及び前記第２倉庫を含む複数の倉庫に関する倉庫情報とを記憶する記憶部と、制御部とを有し、前記制御部は、交換対象商品が発送されなかった場合に各会員が事前に預け入れている保証金を受け取ることが可能な保証金制度を利用して前記第１譲渡希望物品を前記第２譲渡希望物品と交換したい旨の交換希望通知を前記第１会員端末から受信した場合には、前記交換希望通知を前記第２会員端末に送信し、前記交換希望通知を受諾する旨の受諾通知を前記第２会員端末から受信した場合には、前記第１保証金の金額及び振込先を前記第１会員端末に送信する一方、前記第２保証金の金額及び振込先を前記第２会員端末に送信し、前記第１保証金と前記第２保証金との双方の入金が確認された場合には、前記第１倉庫の第１送付先と前記第１譲渡物品を前記第１倉庫に送付する第１送付期限とを前記第１会員端末に送信する一方、前記第２倉庫の第２送付先と前記第２譲渡物品を前記第２倉庫に送付する第２送付期限とを前記第２会員端末に送信し、前記第１譲渡希望物品が送付される予定である旨の第１送付予定通知を前記第１倉庫端末に送信する一方、前記第２譲渡希望物品が送付される予定である旨の第２送付予定通知を前記第２倉庫端末に送信し、前記第１送付期限までに前記第１会員から前記第１譲渡希望物品を受領した旨の第１受領通知を前記第１倉庫端末から受信し、且つ、前記第２送付期限までに前記第２会員から前記第２譲渡希望物品を受領した旨の第２受領通知を前記第２倉庫端末から受信した場合には、前記第１譲渡希望物品を前記第２会員に発送すべき旨の第１発送指示を前記第１倉庫端末に送信するとともに、前記第２譲渡希望物品を前記第１会員に発送すべき旨の第２発送指示を前記第２倉庫端末に送信し、前記第１送付期限までに前記第１受領通知を受信したが、前記第２送付期限までに前記第２受領通知を受信しなかった場合には、前記第２保証金を前記第１会員に送金する第１送金処理を実行すると共に、前記第１譲渡希望物品を前記第１会員に返送すべき旨の第１返送通知を前記第１倉庫端末に送信し、前記第１送付期限までに前記第１受領通知を受信しなかったが、前記第２送付期限までに前記第２受領通知を受信した場合には、前記第１保証金を前記第２会員に送金する第２送金処理を実行すると共に、前記第２譲渡希望物品を前記第２会員に返送すべき旨の第２返送通知を前記第１倉庫端末に送信し、前記第１送付期限までに前記第１受領通知を受信せず、且つ、前記第２送付期限までに前記第２受領通知を受信しなかった場合には、前記第１送金処理及び前記第２送金処理を実行すると共に、前記第１返送通知を前記第１倉庫端末に送信し且つ前記第２返送通知を前記第２倉庫端末に送信することを特徴とする物々交換システムを提供している。
【０００９】
また、前記交換希望通知には、前記交換対象商品の動作確認を行った上で発送を行う動作確認制度を利用する旨も規定されており、前記制御部は、前記交換希望通知を受諾する旨の受諾通知を前記第２会員端末から受信した場合には、前記第１譲渡物品の動作確認を行うべき旨の第１動作確認通知を前記第１倉庫端末に送信する一方、前記第２譲渡物品の動作確認を行うべき旨の第２動作確認通知を前記第２倉庫端末に送信し、前記第１送付期限までに前記第１会員から前記第１譲渡希望物品を受領し且つ前記第１譲渡希望物品の動作に問題がなかった旨の第３受領通知を前記第１倉庫端末から受信し、且つ、前記第２送付期限までに前記第２会員から前記第２譲渡希望物品を受領し且つ前記第２譲渡物品の動作に問題がなかった旨の第４受領通知を前記第２倉庫端末から受信した場合には、前記第１発送指示を前記第１倉庫端末に送信する一方、前記第２発送指示を前記第２倉庫端末に送信し、前記第１送付期限までに前記第３受領通知を受信したが、前記第２送付期限までに第４受領通知を受信しなかった場合には、前記第１送金処理を実行すると共に、前記第１返送通知を前記第１倉庫端末に送信し、前記第１送付期限までに第３受領通知を受信しなかったが、前記第２送付期限までに前記第４受領通知を受信した場合には、前記第２送金処理を実行すると共に、前記第２返送通知を前記第１倉庫端末に送信し、前記第１送付期限までに前記第３受領通知を受信せず、且つ、前記第２送付期限までに第４受領通知を受信しなかった場合には、前記第１送金処理と第２送金処理との双方を実行すると共に、前記第１返送通知を前記第１倉庫端末に送信すると共に前記第２返送通知を前記第２倉庫端末に送信するのが好ましい。
【００１０】
また、前記会員情報は、前記第１会員の住所と前記第２会員の住所とを含み、前記倉庫情報は、前記複数の倉庫の住所を含み、前記制御部は、前記第１会員の住所と前記複数の倉庫の住所とに基づいて、前記複数の倉庫の中から前記第１会員の住所に最も近くにある倉庫を前記第１倉庫として特定し、前記第２会員の住所と前記複数の倉庫の住所とに基づいて、前記複数の倉庫の中から前記第２会員の住所に最も近くにある倉庫を前記第２倉庫として特定するのが好ましい。
【００１１】
また、前記制御部は、前記第１交換依頼を受諾する旨の受諾通知を前記第２会員端末から受信した場合には、前記第１保証金の入金期限を前記第１会員端末に更に送信し、且つ、前記第２保証金の入金期限を更に前記第２会員端末に送信し、前記第１保証金と前記第２保証金との何れか一方が前記入金期限までに入金されなかった場合には、物々交換取引が成立しなかった旨の通知を前記第１端末及び前記第２端末に送信するのが好ましい。
【発明の効果】
【００１２】
本発明によれば、物々交換システムにおいて、物々交換成立後に行われる交換対象物の交換をより確実に行うことが可能である。
【図面の簡単な説明】
【００１３】
【図１】第１実施形態による物々交換システムの構成を示すブロック図。
【図２】管理サーバのハードウェア構成を示すブロック図。
【図３】物々交換システムの処理を示すシーケンス図。
【図４】交換希望通知送信画面を示す図。
【図５】交換希望通知表示画面を示す図。
【発明を実施するための形態】
【００１４】
＜１．実施形態＞
本発明の第１実施形態による物々交換システム１について図１乃至図５に基づき説明する。
【００１５】
図１に示すように、物々交換システム１は、管理サーバ１０と、会員端末３０Ａ，３０Ｂと、倉庫端末４０Ａ，４０Ｂとを備えて構成されている。なお、管理サーバ１０と会員端末３０Ａ，３０Ｂと倉庫端末４０Ａ，４０Ｂとは、インターネットを介して互いに接続されている。
【００１６】
管理サーバ１０は、複数の会員の間で行われる物々交換を支援する物々交換サイトを提供するためのサーバである。
【００１７】
物々交換サイトでは、各会員が譲渡したい物品（以下、譲渡希望物品とも称する）を登録する「登録機能」や、他の会員により登録されている譲渡希望物品を閲覧する「閲覧機能」等が提供されている。また、後述するように、物々交換サイトでは、譲渡希望物品と取得希望物品とを指定して交換希望通知を他の会員に送信する「交換依頼機能」も提供されている。
【００１８】
管理サーバ１０は、公知のサーバ用コンピュータと同様の構成を備えており、図２に示すように、ＣＰＵ１１、ＲＡＭ１２、ＲＯＭ１３、通信部（通信ＩＦ）１４、記憶部１５などを備え、これらがバス１８により相互に接続されている。
【００１９】
ＣＰＵ１１は中央演算装置であり、ＲＡＭ１２、ＲＯＭ１３などと協働して、後述する各種の処理を実行する。詳細には、ＣＰＵ１１は、予めインストールされている１又は複数のプログラムを実行することにより、各種の処理を実行する。これによって、ＣＰＵ１１は、管理サーバ１０の動作を統括的に制御する制御部として機能する。
【００２０】
ＲＡＭ１２は、ＣＰＵ１１の演算の際にデータを一時的に記憶するものであり、ＲＯＭ１３は、ＢＩＯＳなどのプログラムが記憶された読み出し専用メモリである。
【００２１】
記憶部１５はハードディスク（ＨＤＤ）で構成されており、物々交換サイトの会員に関する会員情報（会員の住所や電話番号等の連絡先、譲渡希望物品等）を記憶している。また、記憶部１５は、交換対象商品の送付先として指定される倉庫に関する倉庫情報（倉庫の住所等）も記憶している。
【００２２】
会員端末３０Ａは会員ＵＡによって操作される端末であり、会員端末３０Ｂは会員ＵＢによって操作される端末である。会員端末３０Ａ，３０Ｂは、公知のタブレット端末と同様の構成を備えており、インターネットを介して管理サーバ１０との間で通信を行うことが可能である。
【００２３】
倉庫端末４０Ａは倉庫ＳＡに配置される端末であり、倉庫端末４０Ｂは倉庫ＳＢに配置される端末ある。倉庫ＳＡは会員ＵＡから送付される譲渡希望物品を保管する倉庫であり、倉庫ＳＢは会員ＵＢから送付される譲渡希望物品を保管する倉庫である。倉庫端末４０Ａ，４０Ｂは、公知のパーソナルコンピュータと同様の構成を備えており、インターネットを介して管理サーバ１０との間で通信を行うことが可能である。
【００２４】
続いて、図３に示すシーケンス図に沿って、物々交換システム１の処理について詳細に説明する。
【００２５】
本実施形態では、会員ＵＡが、自身の譲渡希望物品「デジタルカメラ」を会員ＵＢの譲渡希望物品「ソファ」に交換したい旨の交換希望通知を会員ＵＢに通知する状況を想定する。なお、会員ＵＡの譲渡希望物品「デジタルカメラ」は本発明に係る第１譲渡希望物品の一例であり、会員ＵＢの譲渡希望物品「ソファ」は本発明に係る第２譲渡希望物品の一例である。
【００２６】
また、本実施形態では、会員ＵＡは、物々交換システム１において提供されている「保証金制度」及び「動作確認制度」を利用するものとする。「保証金制度」とは、物々交換成立後に交換対象商品が発送されなかった場合に各会員が事前に預け入れている保証金を受け取ることが可能な制度である。「動作確認制度」とは、交換対象商品の動作確認を行った上で発送を行う制度である。
【００２７】
物々交換サイトにおいて会員ＵＡが所定の操作を行うと、会員端末３０Ａのディスプレイには交換希望通知送信画面７０（図４参照）が表示される。
【００２８】
交換希望通知送信画面７０には、譲渡希望物品選択用のチェックボックスと、取得希望物品選択用の複数のチェックボックスと、交換希望通知送信ボタン７３とが表示されている。また、オプションの選択として、「保証金制度」を利用する場合に選択されるチェックボックスと、「動作確認制度」を利用する場合に選択されるチェックボックスとが表示されている。
【００２９】
ここでは、交換希望通知送信画面７０において、会員ＵＡが、譲渡希望物品に「デジタルカメラ」、取得希望物品に「ソファ」を選択し、且つ、「保証金制度」及び「動作確認制度」の双方を選択した上で交換希望通知送信ボタン７３を押下する。
【００３０】
交換希望通知送信ボタン７３が押下されると、会員端末３０Ａは、「保証金制度」及び「動作確認制度」を利用して会員ＵＡの「ソファ」を会員ＵＢの「デジタルカメラ」に交換したい旨の交換希望通知を管理サーバ１０に送信する（図３のステップＳ１１）。
【００３１】
会員端末３０Ａから交換希望通知を受信すると、管理サーバ１０は、当該交換希望通知を会員端末３０Ｂに送信する（ステップＳ１２）。これに伴って、会員端末３０Ｂのディスプレイには、交換希望通知の内容を表示する交換希望通知表示画面８０（図５参照）が表示される。
【００３２】
交換希望通知表示画面８０には、取得希望物品に「ソファ」、譲渡希望物品に「デジタルカメラ」、保証金制度に「利用」、動作確認制度に「利用」が表示される。
【００３３】
また、交換希望通知表示画面８０には、譲渡希望物品「デジタルカメラ」の画像８１と、詳細情報表示ボタン８２とが表示される。詳細情報表示ボタン８２が押下されると、譲渡希望物品「デジタルカメラ」のより詳しい情報を記載したポップアップ画面（図示せず）が表示される。
【００３４】
さらに、交換希望通知表示画面８０には、交換受諾ボタン８３と交換拒否ボタン８４とが表示される。交換受諾ボタン８３は、交換希望通知の交換を受諾する旨の受諾通知を管理サーバ１０に送信するためのボタンである。交換拒否ボタン８４は、交換希望通知の交換を拒否する旨の拒否通知を管理サーバ１０に送信するためのボタンである。
【００３５】
交換受諾ボタン８３が押下されると、会員端末３０Ｂは、交換希望通知の交換を受諾する旨の受諾通知を管理サーバ１０に送信する（ステップＳ１３）。
【００３６】
会員端末３０Ｂから受諾通知を受信すると、管理サーバ１０は、会員ＵＡの譲渡希望物品「デジタルカメラ」に対応する保証金の金額、振込先及び入金期限を会員端末３０Ａに送信する（ステップＳ１４）。また、管理サーバ１０は、会員ＵＢの譲渡希望物品「ソファ」に対応する保証金の金額、振込先及び入金期限を会員端末３０Ｂに送信する（ステップＳ１５）。
【００３７】
ここで、会員ＵＡからの保証金と会員ＵＢからの保証金との何れか一方が入金期限までに入金されなかった場合には、管理サーバ１０は、物々交換取引が成立しなかった旨の通知を会員端末３０Ａ，３０Ｂの双方に送信する。
【００３８】
一方、会員ＵＡからの保証金と会員ＵＢからの保証金との双方の入金が入金期限までに確認された場合には、管理サーバ１０は、会員ＵＡの譲渡希望物品「デジタルカメラ」の送付先である倉庫ＳＡの住所と送付期限とを会員端末３０Ａに送信する（ステップＳ１６）。また、管理サーバ１０は、会員ＵＢの譲渡希望物品「ソファ」の送付先である倉庫ＳＢの住所と送付期限とを会員端末３０Ｂに送信する（ステップＳ１７）。
【００３９】
その後、管理サーバ１０は、会員ＵＡから「デジタルカメラ」が送付される予定である旨の送付予定通知と共に動作確認を行うべき旨の動作確認通知を倉庫端末４０Ａに送信する（ステップＳ１８）。また、管理サーバ１０は、会員ＵＢから「ソファ」が送付される予定である旨の送付予定通知と共に動作確認を行うべき旨の動作確認通知を倉庫端末４０Ｂに送信する（ステップＳ１９）。
【００４０】
そして、倉庫ＳＡの担当者は、会員ＵＡから「デジタルカメラ」を送付期限までに受領し且つ動作に問題がなかった場合には、倉庫端末４０Ａを操作し、会員ＵＡから「デジタルカメラ」を受領し且つ動作に問題がなかった旨の受領通知を管理サーバ１０に送信する（ステップＳ２０）。
【００４１】
同様に、倉庫ＳＢの担当者は、会員ＵＢからの「ソファ」を送付期限までに受領し且つ動作に問題がなかった場合には、倉庫端末４０Ｂを操作し、会員ＵＢから「ソファ」を受領し且つ動作に問題がなかった旨の受領通知を管理サーバ１０に送信する（ステップＳ２１）。
【００４２】
管理サーバ１０は、倉庫端末４０Ａ，４０Ｂの双方から受領通知を受信すると、「デジタルカメラ」を会員ＵＢに発送すべき旨の発送通知を会員ＵＢの住所と共に倉庫端末４０Ａに送信する（ステップＳ２２）。これに伴い、倉庫ＳＡの担当者は、会員ＵＢの住所宛に「デジタルカメラ」を発送する。
【００４３】
また、管理サーバ１０は、「ソファ」を会員ＵＡに発送すべき旨の発送通知を会員ＵＡの住所と共に倉庫端末４０Ｂに送信する（ステップＳ２３）。これに伴い、倉庫ＳＢの担当者は、会員ＵＡの住所宛に「ソファ」を発送する。
【００４４】
一方、倉庫端末４０Ａから受領通知を受信したが、倉庫端末４０Ｂから受領通知を受信しなかった場合には、管理サーバ１０は、会員ＵＢが預け入れた保証金を会員ＵＡに送金する送金処理（会員ＵＡの口座への振込処理）を実行すると共に、「デジタルカメラ」を会員ＵＡに返送すべき旨の返送通知を倉庫端末４０Ａに送信する。
【００４５】
逆に、倉庫端末４０Ａから受領通知を受信しなかったが、倉庫端末４０Ｂから受領通知を受信した場合には、管理サーバ１０は、会員ＵＡが預け入れた保証金を会員ＵＢに送金する送金処理（会員ＵＢの口座への振込処理）を実行すると共に、「ソファ」を会員ＵＢに返送すべき旨の返送通知を倉庫端末４０Ａに送信する。
【００４６】
あるいは、倉庫端末４０Ａから受領通知を受信せず、且つ、倉庫端末４０Ｂからも受領通知を受信しなかった場合には、管理サーバ１０は、会員ＵＡが預け入れた保証金を会員ＵＢに送金する送金処理と、会員ＵＢが預け入れた保証金を会員ＵＡに送金する送金処理との双方を実行する。また、管理サーバ１０は、「デジタルカメラ」を会員ＵＡに返送すべき旨の返送通知を倉庫端末４０Ａに送信すると共に、「ソファ」を会員ＵＢに返送すべき旨の返送通知を倉庫端末４０Ｂに送信する。
【００４７】
なお、図５の交換拒否ボタン８４が押下された場合には、会員端末３０Ｂは、交換希望通知の交換を拒否する旨の拒否通知を管理サーバ１０に送信する。拒否通知を受信すると、管理サーバ１０は、会員ＵＡと会員ＵＢとの間の物々交換取引が成立しなかったと判定する。そして、管理サーバ１０は、拒否通知を会員端末３０Ａに送信し、処理を終了する。
【００４８】
以上説明したように、本実施形態では、倉庫端末４０Ａから「デジタルカメラ」に関する受領通知を受信し且つ倉庫端末４０Ｂから「ソファ」に関する受領通知を受信した場合に、「デジタルカメラ」の発送通知が倉庫端末４０Ａに通知され、「ソファ」の発送通知が倉庫端末４０Ｂに通知される。そのため、物々交換成立後に行われる交換対象物の交換をより確実に行うことが可能である。
【００４９】
また、本実施形態では、「保証金制度」を利用して物々交換の取引を行うことができるので、各会員は、仮に譲渡希望物品が届かなかった場合であっても取引相手の預け入れた保証金を受け取ることが可能である。
【００５０】
さらに、本実施形態では、「動作確認制度」を利用して利用して物々交換の取引を行うことができるので、動作不具合のある譲渡希望物品を受け取らずに済む。
【００５１】
また、本実施形態では、倉庫ＳＡ及び倉庫ＳＢを介して物々交換取引における交換対象物が授受されるので、会員ＵＡ，ＵＢは住所等の個人情報をお互いに公開しなくて済む。
【００５２】
＜２．変形例＞
本発明による物々交換システムは上述の実施形態に限定されず、特許請求の範囲に記載した範囲で種々の変形や改良が可能である。
【００５３】
例えば、上記実施形態では、「保証金制度」と「動作確認制度」との双方を利用して物々交換の取引が行われる場合を例示したが、これに限定されず、「保証金制度」と「動作確認制度」との何れか一方を利用して物々交換の取引が行われるようにしてもよい。あるいは、「保証金制度」と「動作確認制度」との双方を利用せずに物々交換の取引が行われるようにしてもよい。
【００５４】
また、上記実施形態では、会員ＵＡ，ＵＢの譲渡希望物品の送付先が倉庫ＳＡ，ＳＢである場合を例示したが、これに限定されない。物々交換に利用な複数の倉庫を事前に登録しておき、当該複数の倉庫の中から会員ＵＡ，ＵＢの譲渡希望物品の送付先を自動で選択できるようにしてもよい。具体的には、管理サーバ１０は、会員ＵＡの住所と複数の住所とに基づいて、会員ＵＡの住所から最も近い倉庫を特定して譲渡希望物品の送付先として決定する。同様に、管理サーバ１０は、会員ＵＢの住所と複数の住所とに基づいて、会員ＵＢの住所から最も近い倉庫を特定して譲渡希望物品の送付先として決定する。
【産業上の利用可能性】
【００５５】
以上のように本発明にかかる物々交換システムは、会員同士で行われる物々交換を支援する物々交換サイトを提供するのに適している。
【符号の説明】
【００５６】
１  交換システム、１０  管理サーバ、１５  記憶部、１８  バス、
３０Ａ，３０Ｂ      会員端末、４０Ａ，４０Ｂ  倉庫端末、
７０  交換希望通知送信画面、７３  交換希望通知送信ボタン、
８０  交換希望通知表示画面、８１  画像、８２  詳細情報表示ボタン、
８３  交換受諾ボタン、８４  交換拒否ボタン、ＤＡ〜ＤＣ  データ、
ＳＡ〜ＳＤ  倉庫、ＵＡ，ＵＢ  会員
【図１】
2016095838.tif 000003
【図２】
2016095838.tif 000004
【図３】
2016095838.tif 000005
【図４】
2016095838.tif 000006
【図５】
2016095838.tif 000007